(57)【要約】提供されるものは、インジケーション情報送信方法、装置およびシステム、記憶媒体、および電子デバイスであって、インジケーション情報送信方法は、第１のアクセスおよびモビリティ管理機能（ＡＭＦ）によって、第１のインジケーション情報を第１の標的ネットワーク要素に送信するステップであって、第１のインジケーション情報は、パケットデータユニット（ＰＤＵ）セッションが標的ネットワークシステムとインターワーキングすることが可能であるかどうかを示すために使用される、ステップを含む。
2021534654.tif 000002
【特許請求の範囲】
【請求項１】
インジケーション情報送信方法であって、
第１のアクセスおよびモビリティ管理機能（ＡＭＦ）によって、第１のインジケーション情報を第１の標的ネットワーク要素に送信することであって、前記第１のインジケーション情報は、パケットデータユニット（ＰＤＵ）セッションが標的ネットワークシステムとインターワーキングすることが可能であるかどうかを示すために使用される、こと
を含む、方法。
【請求項２】
前記第１のＡＭＦによって、前記第１のインジケーション情報を前記第１の標的ネットワーク要素に送信することは、
ユーザ機器（ＵＥ）が前記ＰＤＵセッションを設定することを要求する前記第１のＡＭＦが要求メッセージを受信することに応答して、前記第１のＡＭＦによって、ＰＤＵセッション設定要求をセッション管理機能（ＳＭＦ）に送信することであって、前記ＰＤＵセッション設定要求は、前記第１のインジケーション情報を搬送し、前記第１のインジケーション情報は、前記ＰＤＵセッションが前記標的ネットワークシステムとインターワーキングすることが可能であるかどうかを示すために使用される、こと
を含む、請求項１に記載の方法。
【請求項３】
前記第１のＡＭＦによって、前記第１のインジケーション情報を前記第１の標的ネットワーク要素に送信することは、
前記第１のＡＭＦが、前記ＰＤＵセッションのステータスパラメータが変化したことを決定することに応答して、前記第１のＡＭＦによって、ＰＤＵセッション修正要求をＳＭＦに送信することであって、前記ＰＤＵセッション修正要求は、前記第１のインジケーション情報を搬送し、前記第１のインジケーション情報は、前記ＰＤＵセッションが前記標的ネットワークシステムとインターワーキングすることが可能であるかどうかを示すために使用される、こと
を含む、請求項１または２に記載の方法。
【請求項４】
前記第１のＡＭＦによって、前記第１のインジケーション情報を前記第１の標的ネットワーク要素に送信することは、
ＵＥが前記第１のＡＭＦから第２のＡＭＦに移行されるＡＭＦ間モビリティイベントが生じることに応答して、前記第１のＡＭＦによって、前記第１のインジケーション情報を前記第２のＡＭＦに送信することであって、前記第１のインジケーション情報は、前記第１のＡＭＦ下の前記ＵＥのＰＤＵセッションが前記標的ネットワークシステムとインターワーキングすることが可能であるかどうかを示すために使用される、こと
を含む、請求項１に記載の方法。
【請求項５】
前記第１のＡＭＦによって、前記第１のインジケーション情報を前記第２のＡＭＦに送信することは、
前記第１のＡＭＦによって、ＵＥコンテキストメッセージを前記第２のＡＭＦに送信することであって、前記ＵＥコンテキストメッセージは、前記第１のインジケーション情報を搬送する、こと
を含む、請求項４に記載の方法。
【請求項６】
前記第１のＡＭＦによって、前記第１のインジケーション情報を前記第１の標的ネットワーク要素に送信することは、
前記第１のＡＭＦによって、前記第１のインジケーション情報をＳＭＦに送信することであって、前記第１のインジケーション情報は、前記ＳＭＦ下の前記ＰＤＵセッションが前記標的ネットワークシステムとインターワーキングすることが可能であるかどうかを示すために使用される、ことと、
ＵＥが前記第１のＡＭＦから第２のＡＭＦに移行されるＡＭＦ間モビリティイベントが生じることに応答して、前記ＳＭＦによって、メッセージを前記第２のＡＭＦに送信することであって、前記メッセージは、前記ＳＭＦ下の前記ＰＤＵセッションが前記標的ネットワークシステムとインターワーキングすることが可能であるかどうかを示すために使用される、ことと
を含む、請求項１に記載の方法。
【請求項７】
前記ＡＭＦ間モビリティイベントは、
接続状態ハンドオーバプロセスまたはアイドル状態モビリティプロセスのうちの少なくとも１つ
を含む、請求項１−４のいずれか１項に記載の方法。
【請求項８】
前記標的ネットワークシステムは、第４世代（４Ｇ）ネットワークシステムである、請求項１、２、または４に記載の方法。
【請求項９】
インジケーション情報送信方法であって、
第１のアクセスおよびモビリティ管理機能（ＡＭＦ）によって、第２のインジケーション情報を第２の標的ネットワーク要素に送信することであって、前記第２のインジケーション情報は、前記第２の標的ネットワーク要素がデータネットワーク名（ＤＮＮ）インターワーキング情報を記憶しているかどうかを示すために使用される、こと
を含む、方法。
【請求項１０】
前記第１のＡＭＦによって、前記第２のインジケーション情報を前記第２の標的ネットワーク要素に送信することは、
前記第１のＡＭＦによって、前記第２のインジケーション情報を統合データ管理（ＵＤＭ）またはホームサブスクリプションサーバ（ＨＳＳ）に送信することであって、前記第２のインジケーション情報は、前記ＵＤＭまたは前記ＨＳＳが前記ＤＮＮインターワーキング情報を記憶していることを示すために使用され、前記ＤＮＮインターワーキング情報は、ＤＮＮ情報と、セッション管理機能（ＳＭＦ）アドレスまたはパケットデータユニット（ＰＤＵ）ゲートウェイ（ＰＧＷ）アドレスのうちの少なくとも１つとを含む、こと
を含む、請求項９に記載の方法。
【請求項１１】
ＤＮＮ毎に、前記ＵＤＭまたは前記ＨＳＳは、前記ＤＮＮに対応する１つのＤＮＮインターワーキング情報を記憶する、請求項９または１０に記載の方法。
【請求項１２】
前記第１のＡＭＦによって、前記第２のインジケーション情報を前記第２の標的ネットワーク要素に送信することは、
ユーザ機器（ＵＥ）が前記第１のＡＭＦから第２のＡＭＦに移行されるＡＭＦ間モビリティイベントが生じることに応答して、前記第１のＡＭＦによって、前記第２のインジケーション情報を前記第２のＡＭＦに送信することであって、前記第２のインジケーション情報は、前記ＤＮＮインターワーキング情報を記憶していることを示すために使用され、前記ＤＮＮインターワーキング情報は、ＤＮＮ情報と、ＳＭＦアドレスまたはＰＧＷアドレスのうちの少なくとも１つとを含む、こと
を含む、請求項９に記載の方法。
【請求項１３】
前記ＡＭＦ間モビリティイベントは、
接続状態ハンドオーバプロセスまたはアイドル状態モビリティプロセスのうちの少なくとも１つを含む、請求項１０に記載の方法。
【請求項１４】
第１のアクセスおよびモビリティ管理機能（ＡＭＦ）に適用されるインジケーション情報送信装置であって、
第１のインジケーション情報を標的ネットワーク要素に送信するように構成される第１の送信モジュールであって、前記第１のインジケーション情報は、パケットデータユニット（ＰＤＵ）セッションが標的ネットワークシステムとインターワーキングすることが可能であるかどうかを示すために使用される、第１の送信モジュール
を備える、装置。
【請求項１５】
前記第１の送信モジュールは、
前記第１のＡＭＦが前記ＰＤＵセッションを設定するためのＰＤＵセッション要求メッセージをユーザ機器（ＵＥ）から受信することに応答して、ＰＤＵセッション設定要求をセッション管理機能（ＳＭＦ）に送信するように構成される第１の送信ユニットであって、前記ＰＤＵセッション設定要求は、前記第１のインジケーション情報を搬送し、前記第１のインジケーション情報は、前記ＰＤＵセッションが前記標的ネットワークシステムとインターワーキングすることが可能であるかどうかを示すために使用される、第１の送信ユニット
を備える、請求項１４に記載の装置。
【請求項１６】
前記第１の送信モジュールはさらに、
前記第１のＡＭＦが、前記ＰＤＵセッションのステータスパラメータが変化したことを決定することに応答して、ＰＤＵセッション修正要求をＳＭＦに送信するように構成される第２の送信ユニットであって、前記ＰＤＵセッション修正要求は、前記第１のインジケーション情報を搬送し、前記第１のインジケーション情報は、前記ＰＤＵセッションが前記標的ネットワークシステムとインターワーキングすることが可能であるかどうかを示すために使用される、第２の送信ユニット
を備える、請求項１４または１５に記載の装置。
【請求項１７】
前記第１の送信モジュールは、
ＵＥが前記第１のＡＭＦから第２のＡＭＦに移行されるＡＭＦ間モビリティイベントが生じることに応答して、前記第１のインジケーション情報を前記第２のＡＭＦに送信するように構成される第３の送信ユニットであって、前記第１のインジケーション情報は、前記第１のＡＭＦ下の前記ＵＥのＰＤＵセッションが前記標的ネットワークシステムとインターワーキングすることが可能であるかどうかを示すために使用される、第３の送信ユニット
を備える、請求項１４に記載の装置。
【請求項１８】
第１のアクセスおよびモビリティ管理機能（ＡＭＦ）に適用されるインジケーション情報送信装置であって、
第２のインジケーション情報を第２の標的ネットワーク要素に送信するように構成される第２の送信モジュールであって、前記第２のインジケーション情報は、前記第２の標的ネットワーク要素がデータネットワーク名（ＤＮＮ）インターワーキング情報を記憶していることを示すために使用される、第２の送信モジュール
を備える、本装置。
【請求項１９】
前記第２の送信モジュールは、
前記第２のインジケーション情報を統合データ管理（ＵＤＭ）またはホームサブスクリプションサーバ（ＨＳＳ）に送信するように構成される第４の送信ユニットであって、前記第２のインジケーション情報は、前記ＵＤＭまたは前記ＨＳＳが前記ＤＮＮインターワーキング情報を記憶していることを示すために使用され、前記ＤＮＮインターワーキング情報は、ＤＮＮ情報と、セッション管理機能（ＳＭＦ）アドレスまたはパケットデータユニット（ＰＤＵ）ゲートウェイ（ＰＧＷ）アドレスのうちの少なくとも１つとを含む、第４の送信ユニット
を備える、請求項１８に記載の装置。
【請求項２０】
ＤＮＮ毎に、前記ＵＤＭまたは前記ＨＳＳは、前記ＤＮＮに対応する１つのＤＮＮインターワーキング情報を記憶する、請求項１８または１９に記載の装置。
【請求項２１】
前記第２の送信モジュールは、
前記ＵＥが前記第１のＡＭＦから第２のＡＭＦに移行されるＡＭＦ間モビリティイベントが生じることに応答して、前記第２のインジケーション情報を前記第２のＡＭＦに送信するように構成される第５の送信ユニットであって、前記第２のインジケーション情報は、前記ＤＮＮインターワーキング情報を記憶するために使用され、前記ＤＮＮインターワーキング情報は、ＤＮＮ情報と、ＳＭＦアドレスまたはＰＧＷアドレスのうちの少なくとも１つとを含む、第５の送信ユニット
を備える、請求項１８に記載の装置。
【請求項２２】
インジケーション情報送信システムであって、
第１のインジケーション情報を標的ネットワーク要素に送信するように構成される第１のアクセスおよびモビリティ管理機能（ＡＭＦ）と、
前記第１のインジケーション情報に従って、パケットデータユニット（ＰＤＵ）セッションが標的ネットワークシステムとインターワーキングすることが可能であるかどうかを決定するように構成される標的ネットワーク要素と
を備える、システム。
【請求項２３】
前記標的ネットワーク要素は、セッション管理機能（ＳＭＦ）を備え、
前記第１のＡＭＦは、ＰＤＵセッション設定要求メッセージをユーザ機器（ＵＥ）から受信することに応答して、ＰＤＵセッション設定要求を前記ＳＭＦに送信するように構成され、前記ＰＤＵセッション設定要求は、前記第１のインジケーション情報を搬送し、
前記ＳＭＦは、前記ＰＤＵセッション設定要求内で搬送される前記第１のインジケーション情報に従って、前記ＰＤＵセッションが前記標的ネットワークシステムとインターワーキングすることが可能であるかどうかを決定するように構成される、
請求項２２に記載のシステム。
【請求項２４】
前記第１のＡＭＦはさらに、前記ＰＤＵセッションのステータスパラメータが変化したことを決定することに応答して、ＰＤＵセッション修正要求を前記ＳＭＦに送信するように構成され、前記ＰＤＵセッション修正要求は、前記第１のインジケーション情報を搬送し、
前記ＳＭＦはさらに、前記ＰＤＵセッション修正要求内で搬送される前記第１のインジケーション情報に従って、そのステータスパラメータが変化した前記ＰＤＵセッションが前記標的ネットワークシステムとインターワーキングすることが可能であるかどうかを決定するように構成される、
請求項２２または２３に記載のシステム。
【請求項２５】
前記標的ネットワーク要素は、第２のＡＭＦを備え、
前記第１のＡＭＦは、前記ＵＥが第１のＡＭＦから前記第２のＡＭＦに移行されるＡＭＦ間モビリティイベントが生じることに応答して、前記第１のインジケーション情報を前記第２のＡＭＦに送信するように構成され、
前記第２のＡＭＦは、前記第１のインジケーション情報に従って、前記第１のＡＭＦ下の前記ＰＤＵセッションが前記標的ネットワークシステムとインターワーキングすることが可能であるかどうかを決定するように構成される、
請求項２２に記載のシステム。
【請求項２６】
インジケーション情報送信システムであって、
第２のインジケーション情報を第２の標的ネットワーク要素に送信するように構成される第１のアクセスおよびモビリティ管理機能（ＡＭＦ）であって、前記第２のインジケーション情報は、データネットワーク名（ＤＮＮ）インターワーキング情報を搬送する、第１のアクセスおよびモビリティ管理機能（ＡＭＦ）
を備え、
前記第２の標的ネットワーク要素は、前記第２のインジケーション情報に従って、前記ＤＮＮインターワーキング情報を記憶するように構成される、システム。
【請求項２７】
前記第２の標的ネットワーク要素は、統合データ管理（ＵＤＭ）またはホームサブスクリプションサーバ（ＨＳＳ）を備え、前記ＵＤＭまたは前記ＨＳＳは、前記第２のインジケーション情報に従って、前記ＤＮＮインターワーキング情報を記憶するように構成され、前記ＤＮＮインターワーキング情報は、ＤＮＮ情報と、セッション管理機能（ＳＭＦ）アドレスまたはパケットデータユニット（ＰＤＵ）ゲートウェイ（ＰＧＷ）アドレスのうちの少なくとも１つとを含む、請求項２６に記載のシステム。
【請求項２８】
前記第２の標的ネットワーク要素は、第２のＡＭＦを備え、
前記第１のＡＭＦは、ユーザ機器（ＵＥ）が前記第１のＡＭＦから前記第２のＡＭＦに移行されるＡＭＦ間モビリティイベントが生じることに応答して、前記第２のインジケーション情報を前記第２のＡＭＦに送信するように構成され、前記第２のインジケーション情報は、前記ＤＮＮインターワーキング情報を搬送し、
前記第２のＡＭＦは、前記第２のインジケーション情報に従って、前記ＤＮＮインターワーキング情報を記憶するように構成され、前記ＤＮＮインターワーキング情報は、ＤＮＮ情報と、ＳＭＦアドレスまたはＰＧＷアドレスのうちの少なくとも１つとを含む、
請求項２６に記載のシステム。
【請求項２９】
コンピュータプログラムを記憶する記憶媒体であって、前記コンピュータプログラムは、実行されると、請求項１−１３のいずれか１項に記載の方法を実施するように構成される、記憶媒体。
【請求項３０】
メモリと、プロセッサとを備える電子装置であって、前記メモリは、コンピュータプログラムを記憶するように構成され、前記プロセッサは、前記コンピュータプログラムを実行し、請求項１−１３のいずれか１項に記載の方法を実施するように構成される、電子装置。
【発明の詳細な説明】
【技術分野】
【０００１】
本願は、その開示が、参照することによってその全体として本明細書に組み込まれる、２０１８年８月１０日に中国特許庁（ＣＮＩＰＡ）に出願された、中国特許出願第２０１８１０９１２１６１．６号の優先権を主張する。
【０００２】
本願は、通信の分野に関し、特に、インジケーション情報送信方法、装置およびシステム、および記憶媒体に関する。
【背景技術】
【０００３】
第４世代通信（４Ｇ）システムにおけるアクセスポイント名（ＡＰＮ）と第５世代通信（５Ｇ）システムにおけるデータネットワーク名（ＤＮＮ）との間には、１対１のマッピング関係が存在する。
【０００４】
パケットデータネットワーク接続（ＰＤＮ接続）が、４Ｇシステムにおいて確立されるとき、モビリティ管理エンティティ（ＭＭＥ）が、同一ＡＰＮを使用して確立される複数のＰＤＮ接続のために同一ＰＤＮゲートウェイ（ＰＧＷ）を選択しなければならないという制限条件が存在する。
【０００５】
しかしながら、５Ｇシステムでは、そのような制限条件が存在しない。すなわち、同一ＤＮＮを使用して確立される複数のパケットデータユニット（ＰＤＵ）セッションに関して、異なるセッション管理機能（ＳＭＦ）エンティティが、モビリティ管理（ＡＭＦ）エンティティによって選択されてもよい。ＳＭＦおよびＰＤＮゲートウェイ制御プレーン（ＰＧＷ−Ｃ）は、１つのネットワーク要素内で組み合わせられるため、５Ｇシステムにおける異なるＳＭＦ＋ＰＧＷ−Ｃの選択は、セッションが４Ｇシステムに移行された後、同一ＡＰＮ下の複数の異なるＰＤＮ接続が、異なるＰＧＷを有し、これは、４Ｇシステムの原理に反し、したがって、インターワーキングを５Ｇシステムから４Ｇシステムに実装することができないことを意味する。
【０００６】
ユーザ機器（ＵＥ）のためのネットワークシステムを横断したインターワーキングが、関連技術分野において実施されることができないという問題に照らして、合理的ソリューションは、まだ提案されていない。
【発明の概要】
【発明が解決しようとする課題】
【０００７】
本開示の実施形態は、インジケーション情報送信方法、少なくとも、ユーザ機器（ＵＥ）のためのネットワークシステムを横断したインターワーキングが関連技術分野において実施されることができないという問題を解決するための、装置およびシステム、記憶媒体、および電子デバイスを提供する。
【課題を解決するための手段】
【０００８】
本開示の実施形態のある側面によると、インジケーション情報送信方法が、提供される。インジケーション情報送信方法は、第１のＡＭＦによって、第１のインジケーション情報を第１の標的ネットワーク要素に送信するステップであって、第１のインジケーション情報は、ＰＤＵセッションが標的ネットワークシステムとインターワーキングすることが可能であるかどうかを示すために使用される、ステップを含む。
【０００９】
随意に、第１のＡＭＦが第１のインジケーション情報を第１の標的ネットワーク要素に送信する、ステップは、第１のＡＭＦが、ＵＥがＰＤＵセッションを設定することを要求する、要求メッセージを受信することに応答して、第１のＡＭＦによって、ＰＤＵセッション設定要求をＳＭＦに送信するステップであって、ＰＤＵセッション設定要求は、第１のインジケーション情報を搬送し、第１のインジケーション情報は、ＰＤＵセッションが標的ネットワークシステムとインターワーキングすることが可能であるかどうかを示すために使用される、ステップを含む。
【００１０】
随意に、第１のＡＭＦが第１のインジケーション情報を第１の標的ネットワーク要素に送信する、ステップは、第１のＡＭＦがＰＤＵセッションのステータスパラメータが変化したことを決定することに応答して、第１のＡＭＦによって、ＰＤＵセッション修正要求をＳＭＦに送信するステップであって、ＰＤＵセッション修正要求は、第１のインジケーション情報を搬送し、第１のインジケーション情報は、ＰＤＵセッションが標的ネットワークシステムとインターワーキングすることが可能であるかどうかを示すために使用される、ステップを含む。
【００１１】
随意に、第１のＡＭＦが第１のインジケーション情報を第１の標的ネットワーク要素に送信する、ステップは、ＵＥが第１のＡＭＦから第２のＡＭＦに移行される、ＡＭＦ間モビリティイベントが生じることに応答して、第１のＡＭＦによって、第１のインジケーション情報を第２のＡＭＦに送信するステップであって、第１のインジケーション情報は、第１のＡＭＦ下のＵＥのＰＤＵセッションが標的ネットワークシステムとインターワーキングすることが可能であるかどうかを示すために使用される、ステップを含む。
【００１２】
随意に、第１のＡＭＦがインジケーション情報を第２のＡＭＦに送信する、ステップは、第１のＡＭＦによって、ＵＥコンテキストメッセージを第２のＡＭＦに送信するステップであって、ＵＥコンテキストメッセージは、第１のインジケーション情報を搬送する、ステップを含む。
【００１３】
随意に、第１のＡＭＦが第１のインジケーション情報を第１の標的ネットワーク要素に送信する、ステップは、第１のＡＭＦによって、第１のインジケーション情報をＳＭＦに送信するステップであって、第１のインジケーション情報は、ＳＭＦ下のＰＤＵセッションが標的ネットワークシステムとインターワーキングすることが可能であるかどうかを示すために使用される、ステップと、ＵＥが第１のＡＭＦから第２のＡＭＦに移行される、ＡＭＦ間モビリティイベントが生じることに応答して、ＳＭＦによって、メッセージを第２のＡＭＦに送信するステップであって、メッセージは、ＳＭＦ下のＰＤＵセッションが標的ネットワークシステムとインターワーキングすることが可能であるかどうかを示すために使用される、ステップとを含む。
【００１４】
本開示の実施形態の別の側面によると、インジケーション情報送信方法がさらに、提供される。インジケーション情報送信方法は、第１のＡＭＦによって、第２のインジケーション情報を第２の標的ネットワーク要素に送信するステップであって、第２のインジケーション情報は、第２の標的ネットワーク要素がＤＮＮインターワーキング情報を記憶していることを示すために使用される、ステップを含む。
【００１５】
随意に、第１のＡＭＦが第２のインジケーション情報を第２の標的ネットワーク要素に送信する、ステップは、第１のＡＭＦによって、第２のインジケーション情報を統合データ管理（ＵＤＭ）またはホームサブスクリプションサーバ（ＨＳＳ）に送信するステップであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを含む。
【００１６】
随意に、ＤＮＮ毎に、ＵＤＭまたはＨＳＳは、ＤＮＮに対応する、１つのＤＮＮインターワーキング情報を記憶する。
【００１７】
随意に、第１のＡＭＦが第２のインジケーション情報を第２の標的ネットワーク要素に送信する、ステップは、ＵＥが第１のＡＭＦから第２のＡＭＦに移行される、ＡＭＦ間モビリティイベントが生じることに応答して、第１のＡＭＦによって、第２のインジケーション情報を第２のＡＭＦに送信するステップであって、第２のインジケーション情報は、ＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを含む。
【００１８】
随意に、ＡＭＦ間モビリティイベントは、接続状態ハンドオーバプロセスまたはアイドル状態モビリティプロセスのうちの少なくとも１つを含む。
【００１９】
随意に、標的ネットワークシステムは、４Ｇネットワークシステムである。
【００２０】
本開示の実施形態の別の側面によると、インジケーション情報送信装置がさらに、提供される。インジケーション情報送信装置は、第１のＡＭＦに適用され、第１のインジケーション情報を標的ネットワーク要素に送信するように構成される、第１の送信モジュールであって、第１のインジケーション情報は、ＰＤＵセッションが標的ネットワークシステムとインターワーキングすることが可能であるかどうかを示すために使用される、第１の送信モジュールを含む。
【００２１】
随意に、第１の送信モジュールは、第１のＡＭＦが、ＵＥがＰＤＵセッションを設定することを要求する、メッセージを受信することに応答して、ＰＤＵセッション設定要求をＳＭＦに送信するように構成される、第１の送信ユニットであって、ＰＤＵセッション設定要求は、第１のインジケーション情報を搬送し、第１のインジケーション情報は、ＰＤＵセッションが標的ネットワークシステムとインターワーキングすることが可能であるかどうかを示すために使用される、第１の送信ユニットを含む。
【００２２】
随意に、第１の送信モジュールはさらに、第１のＡＭＦが、ＰＤＵセッションのステータスパラメータが変化したことを決定することに応答して、ＰＤＵセッション修正要求をＳＭＦに送信するように構成される、第２の送信ユニットであって、ＰＤＵセッション修正要求は、第１のインジケーション情報を搬送し、第１のインジケーション情報は、ＰＤＵセッションが標的ネットワークシステムとインターワーキングすることが可能であるかどうかを示すために使用される、第２の送信ユニットを含む。
【００２３】
随意に、第１の送信モジュールはさらに、ＵＥが第１のＡＭＦから第２のＡＭＦに移行される、ＡＭＦ間モビリティイベントが生じることに応答して、第１のインジケーション情報を第２のＡＭＦに送信するように構成される、第３の送信ユニットであって、第１のインジケーション情報は、第１のＡＭＦ下のＵＥのＰＤＵセッションが標的ネットワークシステムとインターワーキングすることが可能であるかどうかを示すために使用される、第３の送信ユニットを含む。
【００２４】
本開示の実施形態の別の側面によると、インジケーション情報送信装置がさらに、提供される。インジケーション情報送信装置は、第１のＡＭＦに適用され、第２のインジケーション情報を第２の標的ネットワーク要素に送信するように構成される、第２の送信モジュールであって、第２のインジケーション情報は、第２の標的ネットワーク要素がＤＮＮインターワーキング情報を記憶していることを示すために使用される、第２の送信モジュールを含む。
【００２５】
随意に、第２の送信モジュールは、第２のインジケーション情報をＵＤＭまたはＨＳＳに送信するように構成される、第４の送信ユニットであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、第４の送信ユニットを含む。
【００２６】
随意に、ＤＮＮ毎に、ＵＤＭまたはＨＳＳは、対応して、１つのＤＮＮインターワーキング情報を記憶する。
【００２７】
随意に、第２の送信モジュールはさらに、ＵＥが第１のＡＭＦから第２のＡＦＭに移行される、ＡＭＦ間モビリティイベントが生じることに応答して、第２のインジケーション情報を第２のＡＭＦに送信するように構成される、第５の送信ユニットであって、第２のインジケーション情報は、ＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、第５の送信ユニットを含む。
【００２８】
本開示の実施形態の別の側面によると、インジケーション情報送信システムがさらに、提供される。インジケーション情報送信システムは、第１のインジケーション情報を標的ネットワーク要素に送信するように構成される、第１のＡＭＦと、第１のインジケーション情報に従って、ＰＤＵセッションが標的ネットワークシステムとインターワーキングすることが可能であるかどうかを決定するように構成される、標的ネットワーク要素とを含む。
【００２９】
随意に、標的ネットワーク要素は、ＳＭＦを含み、第１のＡＭＦが、ＵＥがＰＤＵセッションを設定することを要求する、メッセージを受信することに応答して、第１のＡＭＦはさらに、ＰＤＵセッション設定要求をＳＭＦに送信するように構成され、ＰＤＵセッション設定要求は、第１のインジケーション情報を搬送し、ＳＭＦは、ＰＤＵセッション設定要求内で搬送される第１のインジケーション情報に従って、ＰＤＵセッションが標的ネットワークシステムとインターワーキングすることが可能であるかどうかを決定するように構成される。
【００３０】
随意に、第１のＡＭＦが、ＰＤＵセッションのステータスパラメータが変化したことを決定することに応答して、第１のＡＭＦはさらに、ＰＤＵセッション修正要求をＳＭＦに送信するように構成され、ＰＤＵセッション修正要求は、第１のインジケーション情報を搬送し、ＳＭＦは、ＰＤＵセッション修正要求内で搬送される第１のインジケーション情報に従って、そのステータスパラメータが変化したＰＤＵセッションが標的ネットワークシステムとインターワーキングすることが可能であるかどうかを決定するように構成される。
【００３１】
随意に、本システムは、第２のＡＭＦを含み、ＵＥが第１のＡＭＦから第２のＡＭＦに移行される、ＡＭＦ間モビリティイベントが生じることに応答して、第１のＡＭＦはさらに、第１のインジケーション情報を第２のＡＭＦに送信するように構成され、第２のＡＭＦは、第１のインジケーション情報に従って、第１のＡＭＦ下のＰＤＵセッションが標的ネットワークシステムとインターワーキングすることが可能であるかどうかを決定するように構成される。
【００３２】
本開示の実施形態の別の側面によると、インジケーション情報送信システムがさらに、提供される。インジケーション情報送信システムは、第２のインジケーション情報を第２の標的ネットワーク要素に送信するように構成される、第１のＡＭＦであって、第２のインジケーション情報は、ＤＮＮインターワーキング情報を搬送する、第１のＡＭＦと、第２のインジケーション情報に従って、ＤＮＮインターワーキング情報を記憶するように構成される、第２の標的ネットワーク要素とを含む。
【００３３】
随意に、第２の標的ネットワーク要素は、ＵＤＭまたはＨＳＳを含み、ＵＤＭまたはＨＳＳは、第２のインジケーション情報に従って、ＤＮＮインターワーキング情報を記憶するように構成され、ＤＮＮインターワーキング情報は、ＤＮＮ情報と、ＳＭＦアドレスまたはＰＧＷアドレスのうちの少なくとも１つとを含む。
【００３４】
随意に、第２の標的ネットワーク要素は、第２のＡＭＦを含み、ＵＥが第１のＡＭＦから第２のＡＭＦに移行される、ＡＭＦ間モビリティイベントが生じることに応答して、第１のＡＭＦはさらに、第２のインジケーション情報を第２のＡＭＦに送信するように構成され、第２のインジケーション情報は、ＤＮＮインターワーキング情報を搬送し、第２のＡＭＦは、第２のインジケーション情報に従って、ＤＮＮインターワーキング情報を記憶するように構成され、ＤＮＮインターワーキング情報は、ＤＮＮ情報と、ＳＭＦアドレスまたはＰＧＷアドレスのうちの少なくとも１つとを含む。
【００３５】
本開示の実施形態の別の側面によると、記憶媒体がさらに、提供される。記憶媒体は、実行されると、前述の方法実施形態のいずれか１つに記載のステップを実施するように構成される、コンピュータプログラムを記憶する。
【００３６】
本開示の実施形態の別の側面によると、電子デバイスがさらに、提供される。電子デバイスは、メモリと、プロセッサとを含む。メモリは、コンピュータプログラムを記憶し、プロセッサは、コンピュータプログラムを実行し、前述の方法実施形態のいずれか１つに記載のステップを実施するように構成される。
【００３７】
本開示の実施形態内に提供されるソリューションを通して、第１のＡＭＦが、第１のインジケーション情報を第１の標的ネットワーク要素に送信し、第１のインジケーション情報は、第１の標的ネットワーク要素が標的ネットワークシステムとインターワーキングすることが可能であるＰＤＵセッションを把握し得、したがって、対応するＰＤＵセッションを選択し、それによって、ＵＥのためのネットワークシステムを横断したインターワーキングが関連技術分野において実施されることができない、問題を解決し、異なるネットワークシステム間のＵＥのためのネットワークシステム間インターワーキングを実装し得るように、ＰＤＵセッションが標的ネットワークシステムとインターワーキングすることが可能であるかどうかを示すために使用される。
【００３８】
本明細書に説明される図面は、さらなる本願の理解を提供するために使用され、本願の一部を形成する。本願における例示的実施形態およびその説明は、本願を解説するために使用され、任意の不適切な方法において本願を限定するものではない。
【図面の簡単な説明】
【００３９】
【図１】図１は、関連技術分野における、４Ｇと５Ｇとの間の双方向性インターワーキングを満たす、ネットワークアーキテクチャを図示する。
【図２】図２は、本開示の実施形態による、インジケーション情報送信方法のためのモバイル端末のハードウェア構造を示す、ブロック図である。
【図３】図３は、本開示の実施形態による、インジケーション情報送信方法のフローチャートである。
【図４】図４は、本開示の実施形態による、インジケーション情報送信方法のフローチャートである。
【図５】図５は、本開示の実施形態による、インジケーション情報送信装置の構造ブロック図である。
【図６】図６は、本開示の実施形態による、インジケーション情報送信装置の構造ブロック図である。
【図７】図７は、本開示の実施形態による、インジケーション情報送信システムの構造ブロック図である。
【図８】図８は、本開示の実施形態による、インジケーション情報送信システムの構造ブロック図である。
【図９】図９は、本開示の実施例１による、ＰＤＵセッション設定方法のフローチャートである。
【図１０】図１０は、本開示の実施例１による、ＰＤＵセッション修正方法のフローチャートである。
【図１１】図１１は、本開示の実施例２による、ＡＭＦ間モビリティプロセスのフローチャートである。
【図１２】図１２は、本開示の実施例３による、ＡＭＦ間モビリティプロセスのフローチャートである。
【図１３】図１３は、本開示の実施例４による、インターワーキング情報送信プロセスを図示する、フローチャートである。
【図１４】図１４は、本開示の実施例５による、インターワーキング情報送信プロセスを図示する、フローチャートである。
【図１５】図１５は、本開示の実施例６による、インターワーキング情報送信プロセスを図示する、フローチャートである。
【発明を実施するための形態】
【００４０】
以降、本願は、図面を参照して、実施形態と併せて、詳細に説明されるであろう。矛盾しない場合、本願における実施形態およびその中の特徴は、相互に組み合わせられてもよいことに留意されたい。
【００４１】
本願の説明、請求項、および図面における「第１」および「第２」等の用語は、類似オブジェクトを区別するために使用され、必ずしも、特定の順序またはシーケンスを説明するために使用されないことに留意されたい。
【００４２】
図１は、関連技術分野における４Ｇと５Ｇとの間の双方向性インターワーキングを満たす、ネットワークアーキテクチャを図示する。１つの重要な特徴は、アーキテクチャが、４Ｇおよび５Ｇアーキテクチャの両方と互換性があることである。別の重要な特徴は、ＰＧＷ−ＣおよびＳＭＦが、共同設置され、ＰＤＮゲートウェイユーザプレーン（ＰＧＷ−Ｕ）およびユーザプレーン機能（ＵＰＦ）が、共同設置され、ポリシ制御機能（ＰＣＦ）およびポリシおよび課金制御機能（ＰＣＲＦ）が、共同設置され、ＵＥのユーザプレーンが、常時、ＵＰＦまたはＰＧＷ−Ｕ上にアンカされることである。Ｎ２６インターフェースは、ＡＭＦとＭＭＥとの間に展開される場合とそうではない場合がある。本システムは、Ｎ２６インターフェースが展開される場合とＮ２６インターフェースが展開されない場合をハンドリングするために、異なるフローを有する。
【００４３】
アーキテクチャ内のネットワーク要素は、下記に例証される。
【００４４】
ユーザ機器（ＵＥ）：ＵＥは、主に、無線エアインターフェースを通して、４Ｇまたは５Ｇネットワークにアクセスし、サービスを取得し、ＵＥは、エアインターフェースを通して、基地局と情報相互作用を実施し、コアネットワークの非アクセス層（ＮＡＳ）シグナリングおよび管理エンティティを通して、情報相互作用を実施する（ＵＥが４Ｇネットワークにアクセスするとき、ＵＥは、ＭＭＥと相互作用する一方、ＵＥが５Ｇネットワークにアクセスするとき、ＵＥは、ＡＭＦおよびＳＭＦと相互作用する）。
【００４５】
４Ｇ基地局（無線アクセスネットワーク（ＲＡＮ）、Ｅ−ＮｏｄｅＢ（ｅＮＢ））：４Ｇ基地局は、ＵＥがアクセスする、ネットワークのエアインターフェースリソーススケジューリングおよびエアインターフェース接続管理に関与する。
【００４６】
５Ｇ基地局（次世代無線アクセスネットワーク（ＮＧ  ＲＡＮ）、無線アクセスネットワーク）：５Ｇ基地局は、ＵＥがアクセスする、ネットワークのエアインターフェースリソーススケジューリングおよびエアインターフェース接続管理に関与し、ＮＧ  ＲＡＮ基地局は、新規無線（ＮＲ）アクセス技術（ｇＮＢ）または拡張ロングタームエボリューション（ｅＬＴＥ）技術を採用してもよい。
【００４７】
モビリティ管理エンティティ（ＭＭＥ）：ＭＭＥは、４Ｇコアネットワーク制御プレーンエンティティであって、主に、ユーザ認証、認可、およびサブスクリプションチェック、ユーザモビリティ管理、ＰＤＮ接続およびベアラ維持、およびユーザアイドル状態におけるページングトリガに関与する。
【００４８】
サービス提供ゲートウェイ（ＧＷ）：サービス提供ＧＷは、４Ｇコアネットワークユーザプレーン機能エンティティであって、主に、ローミングの場合、ＰＤＮ  ＧＷとの相互作用に関与する。
【００４９】
パケットデータネットワークゲートウェイ（ＰＤＮ  ＧＷ）：ＰＤＮ  ＧＷは、４Ｇコアネットワークユーザプレーン機能エンティティであって、それを通してＵＥがＰＤＮネットワークにアクセスする、アクセスポイントは、ユーザインターネットプロトコル（ＩＰ）アドレス配分、ネットワークトリガベアラ設定、修正、および削除、およびＱｏＳ制御および課金に関与し、第３世代パートナーシッププロジェクト（３ＧＰＰ）システムにおける、ＩＰアドレスが、不変であるように確実にされ、サービス連続性が、確実にされるようなユーザのアンカポイントである。制御および転送分離アーキテクチャでは、Ｐ−ＧＷはさらに、２つの部分、すなわち、制御エンティティＰＧＷ−Ｃと、ユーザプレーンエンティティＰＧＷ−Ｕとに分割され、ＰＧＷ−Ｃは、シグナリング制御に関与し、ＰＧＷ−Ｕは、ＩＰ転送に関与する。
【００５０】
ホームサブスクリプションサーバ（ＨＳＳ）：ＨＳＳは、ユーザのサブスクリプション情報を記憶する。ポリシおよび課金制御機能（ＰＣＲＦ）：ＰＣＲＦは、ポリシおよび課金ルールの策定に関与し、サービスデータフローに基づいて、ネットワーク制御ルールであって、サービスデータフロー検出、ゲーティング制御、サービスの質（ＱｏＳ）制御、データフローに基づく課金ルール、および同等物を含む、ネットワーク制御を提供し、実行のために、ＰＣＲＦ自体によって策定されたポリシおよび課金ルールをＰ−ＧＷに送信する。
【００５１】
５Ｇネットワークの制御機能は、下記に例証される。
【００５２】
セッション管理機能（ＳＭＦ）：ＳＭＦは、ＵＥと相互作用し、主に、ユーザＰＤＵセッション設定、修正、および削除の要求を処理すること、ユーザプレーン機能（ＵＰＦ）を選択すること、ＵＥとＵＰＦとの間のユーザプレーン接続を設定すること、ＰＣＦを用いてセッションのＱｏＳパラメータを決定することに関与する。
【００５３】
アクセスおよびモビリティ制御機能（ＡＭＦ）：ＡＭＦは、コアネットワーク内の共通制御プレーン機能であって、ユーザは、ユーザが合法的ユーザであることを確実にするためのユーザ認証、認可、およびサブスクリプションチェック、場所登録および一時的識別配分を含む、ユーザモビリティ管理、ユーザがＰＤＵ接続設定要求を開始すると、適切なＳＭＦを選択すること、ＵＥとＳＭＦとの間でＮＡＳシグナリングを転送すること、基地局とＳＭＦとの間でアクセス層（ＡＳ）シグナリングを転送することに関与する、１つのみのＡＭＦを有する。
【００５４】
ユーザプレーン機能（ＵＰＦ）：ＵＰＦは、データ転送およびＱｏＳ実行を含む、ユーザプレーン処理機能を提供し、また、ユーザが移動するとき、ユーザプレーンアンカポイントを提供し、サービス連続性を確実にする。
【００５５】
ポリシ制御機能（ＰＣＦ）：ＰＣＦは、リソース認可機能を提供し、４Ｇ期におけるＰＣＲＦに非常に類似する。
【００５６】
統合データ管理機能（ＵＤＭ）：ＵＤＭは、ユーザのサブスクリプションデータを記憶し、４Ｇ期におけるＨＳＳに類似する。
【００５７】
４Ｇと５Ｇシステムとの間のＵＥのハンドオーバの連続性を確実にするために、ＵＥが、５ＧシステムにおいてＰＤＵセッションを設定し、ＵＥが、４Ｇシステムに移動すると、対応するＰＤＮ接続が、生成される。ＵＥが、４ＧシステムにおいてＰＤＵセッションを設定するとき、ＵＥが５Ｇシステムに移動すると、また、対応するＰＤＮ接続が、生成される。
【００５８】
ＵＥが、５ＧシステムにおいてＰＤＵセッションを設定することを要求すると、ＵＥは、それに対してＰＤＵセッションが接続される、データネットワークを示すために、ＤＮＮパラメータを搬送する一方、ＵＥは、一意のＰＤＵセッション識別子（ＩＤ）を本ＵＥ内に配分し、本一意のＰＤＵセッションＩＤをネットワークに送信する。ＵＥが、４ＧシステムにおいてＰＤＵ接続を設定するとき、ＵＥは、それに対してＰＤＵ接続が接続される、データネットワークを示すために、ＡＰＮパラメータを搬送する。４Ｇと５Ｇとの間のＵＥのためのインターワーキングを確実にするために、ＡＰＮとＰＤＮとの間には、マッピング関係が存在する。
【００５９】
シームレスなモビリティを実装する（すなわち、ＩＰアドレスは、不変である）ために、２つの異なるシナリオが存在する。
【００６０】
Ｎ２６インターフェースが存在する、シナリオでは、ＵＥが、５ＧシステムにおいてＰＤＵセッションを設定または修正すると、ネットワークは、４ＧＰＤＮ接続に対応するセッションパラメータを生成し、セッションパラメータをＵＥに送信する。ＵＥが、４ＧシステムにおいてＰＤＵ接続を設定または修正すると、ＵＥは、対応するＰＤＵセッションＩＤを生成し、ＰＤＵセッションＩＤをＳＭＦ＋ＰＧＷ−Ｃに送信し、ＳＭＦ＋ＰＧＷ−Ｃもまた、５Ｇ  ＰＤＵセッションに対応するセッションパラメータを生成し、セッションパラメータをＵＥに送信する。
【００６１】
４Ｇと５Ｇシステムとの間のモビリティプロセス（ハンドオーバまたはアイドル状態モビリティ）が、ＵＥのために生じると、標的システムは、ソースシステムによって作成されたセッション情報に従って、対応するＰＤＮ接続／ＰＤＵセッションを標的システムにおいて生成する。
【００６２】
Ｎ２６インターフェースが存在しない、シナリオでは、ＵＥが、５ＧシステムにおいてＰＤＵセッションを設定すると、ＳＭＦ＋ＰＧＷ−Ｃは、本ＰＤＵセッションに対応するＤＮＮおよびＰＧＷ−Ｃ識別情報（ＰＧＷ−Ｃ完全修飾ドメイン名（ＦＱＤＮ）等）をＵＤＭまたはＨＳＳ内のＵＥの本セッションのコンテキスト内に記憶する。ＵＥが、４Ｇシステムに移動すると、ＵＥは、ＰＤＮ接続を再確立するように要求し、本セッションが既存のセッションであることを示し、ＰＤＵセッションＩＤ情報を搬送する。ＭＭＥは、（ＤＮＮからマッピングされた）ＡＰＮと、ＵＤＭまたはＨＳＳからのＰＧＷ−Ｃ識別情報とを取得し、ＡＰＮおよびＰＧＷ−Ｃ識別情報とＵＥから受信されたＡＰＮを合致させ、セッション設定要求をＰＧＷ−Ｃ識別情報に対応するＰＧＷに送信する（Ｓ−ＧＷを通して）。ＳＭＦ＋ＰＧＷ−Ｃは、セッション設定要求を受信後、本要求内のＰＤＵセッションＩＤに従って、対応するセッションを見出し、再確立を４Ｇ側において完了する。
【００６３】
ＵＥが、４ＧシステムにおいてＰＤＵ接続を設定すると、ＳＭＦ＋ＰＧＷ−Ｃは、本ＰＤＵ接続に対応するＡＰＮと、ＰＧＷ−Ｃ識別情報（ＰＧＷ−Ｃ  ＦＱＤＮ等）とをＵＤＭまたはＨＳＳ内に記憶する。ＵＥが、５Ｇシステムに移動すると、ＵＥは、ＰＤＵセッションを再確立することを要求し、その原理は、４Ｇ側における復元プロセスのものに類似する。
【００６４】
ＳＭＦおよびＰＧＷ−Ｃは、ネットワーク要素内に共同設置されるため、５Ｇシステムにおける異なるＳＭＦ＋ＰＧＷ−Ｃの選択は、セッションが４Ｇシステムに移行された後、同一ＡＰＮ下の複数の異なるＰＤＮ接続が、異なるＰＧＷを有することを意味し、これは、４Ｇシステムの原理に反する。
【００６５】
上記のシナリオでは、４ＧシステムにおけるＰＧＷの一意性を確実にするために、５Ｇシステムは、あるＳＭＦ下のＰＤＵセッションが、４Ｇシステムとのインターワーキングを実施することができる一方、他のＳＭＦ下のＰＤＵセッションが、４Ｇシステムとのインターワーキングを実施することができないことを決定しなければならない。
【００６６】
したがって、２つの問題が存在する。第１の問題は、ＳＭＦが、本ＳＭＦ上でＵＥによって確立されるＰＤＵセッションが４Ｇシステムとのインターワーキングを実施することができるかどうかを把握する方法である。ネットワークが、Ｎ２６インターフェースを用いて展開されるとき、ＳＭＦは、ＰＤＵセッションが、ＡＭＦがＥＢＩを配分するかどうかを通して、インターワーキングを実施することができるかどうかを決定することができるが、ネットワークが、Ｎ２６インターフェースを用いて展開されないとき、ＳＭＦは、それについて把握することができない。ＳＭＦ／ＰＧＷは、４Ｇシステムに移動後、ＳＭＦ／ＰＧＷがＭＭＥによって送信される再確立要求を受信するとき、それがインターワーキングをサポートするかどうかを把握せず、ＳＭＦ／ＰＧＷは、おそらくは、ＰＤＵ接続を設定することを拒否する。
【００６７】
第２の問題は、ＵＤＭまたはＨＳＳが、ＰＧＷ識別をハンドリングする方法である。例えば、５Ｇシステムでは、ＵＥは、ＤＮＮ１を使用することによって、２つのＰＤＵセッションを設定する。ＰＤＵセッション１のＳＭＦは、ＳＭＦ＿Ａ＋ＰＧＷ−Ｃ＿Ａであって、ＰＤＵセッション２のＳＭＦは、ＳＭＦ＿Ｂ＋ＰＧＷ−Ｃ＿Ｂである。ＵＥが、４Ｇシステムに移動するとき、ＵＤＭまたはＨＳＳが、サブスクリプションデータをＭＭＥに送達すると、１つのみのＰＧＷ識別が、ＤＮＮ１によってマッピングされたＡＰＮ１のために送達される。この場合、ＵＤＭまたはＨＳＳは、ＭＭＥにＰＤＮ接続が設定され得るＰＧＷを把握させるためにＭＭＥに送信すべきＰＧＷ識別を決定することができない。
【００６８】
上記の問題を解決するために、本開示の実施形態は、以下の具体的実装を提供する。
【００６９】
実施形態１
本願の実施形態１に提供される方法実施形態は、モバイル端末、コンピュータ端末、または他の類似コンピューティング装置内で実施されることができる。本実施形態は、本方法がモバイル端末内で実行される、実施例を使用することによって説明される。図２は、本開示の実施形態による、インジケーション情報送信方法のためのモバイル端末のハードウェア構造を示す、ブロック図である。図２に示されるように、モバイル端末１０は、１つ以上の（１つのみが、図２に示される）プロセッサ１０２（プロセッサ１０２は、限定ではないが、マイクロコントローラユニット（ＭＣＵ）等のマイクロプロセッサ、フィールドプログラマブルゲートアレイ（ＦＰＧＡ）等のプログラマブル論理デバイス、および他の処理装置を含んでもよい）と、データを記憶するために使用される、メモリ１０４とを含んでもよい。随意に、前述のモバイル端末はさらに、通信機能のための伝送デバイス１０６と、入力／出力デバイス１０８とを含んでもよい。当業者によって、図２に示される構造は、単に、例証であって、前述のモバイル端末の構造を限定することを意図するものではないことが理解されるはずである。例えば、モバイル端末１０はさらに、図２に示されるコンポーネントより多いまたはより少ないコンポーネントを含んでもよい、または図２に示される構成と異なる構成を有してもよい。
【００７０】
メモリ１０４は、アプリケーションソフトウェアのソフトウェアプログラムおよびモジュール等のコンピュータプログラム、例えば、本開示の実施形態では、インジケーション情報送信方法に対応する、コンピュータプログラムを記憶するように構成されてもよい。プロセッサ１０２は、メモリ１０４内に記憶されるコンピュータプログラムを実行し、種々の機能アプリケーションおよびデータ処理を実施する、すなわち、上記に説明される方法を実装する。メモリ１０４は、高速ランダムアクセスメモリを含んでもよく、さらに、１つ以上の磁気記憶装置、フラッシュメモリ、または他の不揮発性ソリッドステートメモリ等の不揮発性メモリを含んでもよい。いくつかの実施例では、メモリ１０４はさらに、プロセッサ１０２に対して遠隔で配置される、メモリを含んでもよい。これらの遠隔メモリは、ネットワークを介して、モバイル端末１０に接続されてもよい。前述のネットワークの実施例は、限定ではないが、インターネット、イントラネット、ローカルエリアネットワーク、モバイル通信ネットワーク、およびそれらの組み合わせを含む。
【００７１】
伝送デバイス１０６は、ネットワークを介して、データを受信または送信するように構成される。前述のネットワークの具体的実施例は、モバイル端末１０の通信プロバイダによって提供される、無線ネットワークを含んでもよい。ある実施例では、伝送デバイス１０６は、基地局を介して、他のネットワークデバイスに接続され得、したがって、インターネットと通信し得る、ネットワークインターフェースコントローラ（ＮＩＣ）を含む。ある実施例では、伝送デバイス１０６は、無線方法においてインターネットと通信するように構成される、無線周波数（ＲＦ）モジュールであってもよい。
【００７２】
上記に説明される第１の問題を解決するために、本開示の実施形態は、インジケーション情報送信方法を提供する。図３は、本開示の実施形態による、インジケーション情報送信方法のフローチャートである。図３に示されるように、本方法は、下記に説明されるステップを含む。
【００７３】
ステップＳ３０１では、第１のＡＭＦが、第１のインジケーション情報を第１の標的ネットワーク要素に送信し、第１のインジケーション情報は、ＰＤＵセッションが標的ネットワークシステム内でインターワーキングを実施することができるかどうかを示すために使用される。
【００７４】
上記の方法を通して、第１のＡＭＦが、第１のインジケーション情報を第１の標的ネットワーク要素に送信し、第１のインジケーション情報は、第１の標的ネットワーク要素が標的ネットワークシステムとのインターワーキングを実施することができるＰＤＵセッションを把握し得、したがって、対応するＰＤＵセッションを選択し、それによって、ＳＭＦまたはＰＧＷが、それがインターワーキングをサポートし得るかどうかを把握せず、したがって、ＵＥのためのネットワークシステムを横断したインターワーキングが、関連技術分野において実施され、異なるネットワークシステム間のＵＥのためのクロスネットワークシステムインターワーキングを実装することができない問題を解決し得るように、ＰＤＵセッションが標的ネットワークシステムとのインターワーキングを実施することができるかどうかを示すために使用される。
【００７５】
本明細書における標的ネットワークシステムは、４Ｇシステム、３Ｇシステム、または５Ｇシステムであってもよく、また、クロスネットワークインターワーキングを実装する必要がある、任意の他のネットワークシステムであってもよく、これは、本開示の実施形態では、限定されないことに留意されたい。
【００７６】
随意に、上記のステップＳ３０１は、以下の様式において実装されてもよい、すなわち、第１のＡＭＦが、ＵＥがＰＤＵセッションを設定することを要求する、メッセージを受信することに応答して、第１のＡＭＦが、ＰＤＵセッション設定要求をＳＭＦに送信し、ＰＤＵセッション設定要求は、第１のインジケーション情報を搬送し、第１のインジケーション情報は、ＰＤＵセッションが、標的ネットワークシステム内でインターワーキングを実施することができるかどうかを示すために使用される。
【００７７】
設定要求メッセージは、第１のＡＭＦからＳＭＦに送信され、ＰＤＵセッション設定プロセスでは、設定要求メッセージ内で搬送される第１のインジケーション情報は、現在確立されているＰＤＵセッションが標的ネットワークシステム内でインターワーキングを実施することができるかどうかを示すために使用され得ることに留意されたい。
【００７８】
随意に、上記のステップＳ３０１は、以下の様式において実装されてもよい、すなわち、第１のＡＭＦが、ＰＤＵセッションのステータスパラメータが変化したことを決定することに応答して、第１のＡＭＦが、ＰＤＵセッション修正要求をＳＭＦに送信し、ＰＤＵセッション修正要求は、第１のインジケーション情報を搬送し、第１のインジケーション情報は、ＰＤＵセッションが標的ネットワークシステム内でインターワーキングを実施することができるかどうかを示すために使用される。
【００７９】
修正要求メッセージは、第１のＡＭＦからＳＭＦに送信され、ＰＤＵセッション修正プロセスでは、修正要求メッセージ内で搬送される第１のインジケーション情報は、現在修正されているＰＤＵセッションが標的ネットワークシステム内でインターワーキングを実施することができるかどうかを示すために使用され得ることに留意されたい。「ステータスパラメータが変化した」とは、現在のＰＤＵセッションの状態が、標的ネットワークシステム内でインターワーキングを実施することが可能である状態から標的ネットワークシステム内でインターワーキングを実施することが可能ではない状態に変化した、または現在のＰＤＵセッションの状態が、標的ネットワークシステム内でインターワーキングを実施することが可能ではない状態から標的ネットワークシステム内でインターワーキングを実施することが可能である状態に変化したということであり得る。
【００８０】
随意に、上記のステップＳ３０１はさらに、以下の様式において実装されてもよい、すなわち、ＵＥが第１のＡＭＦから第２のＡＭＦに移行される、ＡＭＦ間モビリティイベントが生じることに応答して、第１のＡＭＦが、第１のインジケーション情報を第２のＡＭＦに送信し、第１のインジケーション情報は、第１のＡＭＦ下のＵＥのＰＤＵセッションが標的ネットワークシステム内でインターワーキングを実施することができるかどうかを示すために使用される。
【００８１】
本明細書におけるＡＭＦ間モビリティイベントは、接続状態ハンドオーバプロセスまたはアイドル状態モビリティプロセスのうちの少なくとも１つを含むことに留意されたい。この場合、第１のインジケーション情報内で搬送されるメッセージは、第１のＡＭＦ下の同一ＵＥに属するＰＤＵセッションの一部または全部が標的ネットワークシステム内でインターワーキングを実施することができるかどうかであり得る。
【００８２】
随意に、第１のＡＭＦが第１のインジケーション情報を第２のＡＭＦに送信する、ステップは、以下の様式において実装されてもよい、すなわち、第１のＡＭＦが、ＵＥコンテキストメッセージを第２のＡＭＦに送信し、ＵＥコンテキストメッセージは、第１のインジケーション情報を搬送する。
【００８３】
随意に、上記のステップＳ３０１はさらに、以下の様式において実装されてもよい、すなわち、第１のＡＭＦが、第１のインジケーション情報をＳＭＦに送信し、第１のインジケーション情報は、ＳＭＦ下のＰＤＵセッションが標的ネットワークシステム内でインターワーキングを実施することができるかどうかを示すために使用され、ＵＥが第１のＡＭＦから第２のＡＭＦに移行される、ＡＭＦ間モビリティイベントが生じることに応答して、ＳＭＦが、メッセージを第２のＡＭＦに送信し、メッセージは、ＳＭＦ下のＰＤＵセッションが標的ネットワークシステム内でインターワーキングを実施することができるかどうかを示すために使用される。
【００８４】
本明細書におけるプロセスは、モビリティイベントが生じると、第１のＡＭＦが、直接、第１のインジケーション情報を第２のＡＭＦに送信しないが、第１のインジケーション情報をＳＭＦに送信し、ＳＭＦが、メッセージを第２のＡＭＦに送信することによって、現在のＳＭＦ下のＰＤＵセッションが標的ネットワークシステム内でインターワーキングを実施することができるかどうかを示し得ると理解され得ることに留意されたい。
【００８５】
上記に説明される第２の問題を解決するために、本開示の実施形態は、インジケーション情報送信方法を提供する。図４は、本開示の実施形態による、インジケーション情報送信方法のフローチャートである。図４に示されるように、本方法は、下記に説明されるステップを含む。
【００８６】
ステップＳ４０１では、第１のＡＭＦが、第２のインジケーション情報を第２の標的ネットワーク要素に送信する。
【００８７】
上記の方法を通して、第１のＡＭＦが、第２のインジケーション情報を第２の標的ネットワーク要素に送信し、第２のインジケーション情報は、第２の標的ネットワーク要素がＤＮＮインターワーキング情報を記憶していることを示すために使用され、それによって、ＵＤＭまたはＨＳＳが、ＭＭＥにＰＤＵ接続が再確立され得るＰＧＷを把握させるためにＭＭＥに送信すべきものを決定することができず、したがって、ＵＥのためのネットワークシステムを横断したインターワーキングが、関連技術分野において実施され、異なるネットワークシステム間でＵＥのためのクロスネットワークシステムインターワーキングを実装することができない問題を解決する。
【００８８】
随意に、ステップＳ４０１は、以下の様式において実装されてもよい、すなわち、第１のＡＭＦが、第２のインジケーション情報をＵＤＭまたはＨＳＳに送信し、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む。
【００８９】
随意に、ＤＮＮ毎に、ＵＤＭまたはＨＳＳは、ＤＮＮに対応する、１つのＤＮＮインターワーキング情報を記憶する。上記では、各ＤＮＮが、対応するインターワーキング情報を記憶するための独立メッセージを有する、例えば、ＤＮＮ１が、複数のＳＭＦ／ＰＧＷに対応するが、ＳＭＦ１および／またはＰＧＷ１のみが、ネットワークシステムを横断したインターワーキングをサポートし得、この場合、記憶されたＤＮＮインターワーキング情報が、（ＤＮＮ１、ＳＭＦ１）または（ＤＮＮ１、ＰＧＷ１）または（ＤＮＮ１、ＳＭＦ１、ＰＧＷ１）を含み得ることが理解され得る。
【００９０】
随意に、上記のステップＳ４０１は、以下の様式において実装されてもよい、すなわち、ＵＥが第１のＡＭＦから第２のＡＭＦに移行される、ＡＭＦ間モビリティイベントが生じることに応答して、第１のＡＭＦが、第２のインジケーション情報を第２のＡＭＦに送信し、第２のインジケーション情報は、ＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む。
【００９１】
同様に、本明細書におけるＡＭＦ間モビリティイベントは、接続状態ハンドオーバプロセスまたはアイドル状態モビリティプロセスのうちの少なくとも１つを含む。この場合、第２のインジケーション情報内で搬送されるＤＮＮインターワーキング情報は、第１のＡＭＦ下の同一ＵＥに属するＤＮＮインターワーキング情報の一部または全部であってもよい。
【００９２】
随意に、第１のＡＭＦが第２のインジケーション情報を第２のＡＭＦに送信する、ステップは、以下の様式において実装されてもよい、すなわち、第１のＡＭＦが、ＵＥコンテキストメッセージを第２のＡＭＦに送信し、ＵＥコンテキストメッセージは、第２のインジケーション情報を搬送する。
【００９３】
実施形態２
本実施形態では、インジケーション情報送信装置がさらに、提供される。本装置は、前述の実施形態および好ましい実装を実装するように構成される。説明された内容は、繰り返されないであろう。下記で使用されるように、用語「モジュール」は、所定の機能を実装することが可能なソフトウェア、ハードウェア、またはそれらの組み合わせであってもよい。本実施形態における下記に説明される装置は、ソフトウェアによって実装されるが、ハードウェアによる実装またはソフトウェアおよびハードウェアの組み合わせによる実装もまた、可能性として考えられ、想起される。
【００９４】
本開示の実施形態の別の側面によると、インジケーション情報送信装置がさらに、提供される。本装置は、第１のＡＭＦに適用され、上記の方法を実装するように構成される。図５は、本開示の実施形態による、インジケーション情報送信装置の構造ブロック図である。図５に示されるように、本装置は、第１のインジケーション情報を標的ネットワーク要素に送信するように構成される、第１の送信モジュール５０を含み、第１のインジケーション情報は、ＰＤＵセッションが標的ネットワークシステム内でインターワーキングを実施することができるかどうかを示すために使用される。
【００９５】
上記の装置を通して、ＳＭＦまたはＰＧＷが、それがインターワーキングをサポートし得るかどうかを把握せず、したがって、ＵＥのためのネットワークシステムを横断したインターワーキングが、関連技術分野において実施されることができない問題が、解決されることができ、異なるネットワークシステム間におけるＵＥのためのクロスネットワークシステムインターワーキングが、実装されることができる。
【００９６】
随意に、第１の送信モジュール５０は、第１のＡＭＦが、ＵＥがＰＤＵセッションを設定することを要求する、メッセージを受信することに応答して、ＰＤＵセッション設定要求をＳＭＦに送信するように構成される、第１の送信ユニットを含み、ＰＤＵセッション設定要求は、第１のインジケーション情報を搬送し、第１のインジケーション情報は、ＰＤＵセッションが標的ネットワークシステム内でインターワーキングを実施することができるかどうかを示すために使用される。
【００９７】
随意に、第１の送信モジュール５０はさらに、第１のＡＭＦが、ＰＤＵセッションのステータスパラメータが変化したことを決定することに応答して、ＰＤＵセッション修正要求をＳＭＦに送信するように構成される、第２の送信ユニットを含み、ＰＤＵセッション修正要求は、第１のインジケーション情報を搬送し、第１のインジケーション情報は、ＰＤＵセッションが標的ネットワークシステム内でインターワーキングを実施することができるかどうかを示すために使用される。
【００９８】
随意に、第１の送信モジュール５０はさらに、ＵＥが第１のＡＭＦから第２のＡＭＦに移行される、ＡＭＦ間モビリティイベントが生じることに応答して、第１のインジケーション情報を第２のＡＭＦに送信するように構成される、第３の送信ユニットを含み、第１のインジケーション情報は、第１のＡＭＦ下のＵＥのＰＤＵセッションが標的ネットワークシステム内でインターワーキングを実施することができるかどうかを示すために使用される。
【００９９】
本開示の実施形態の別の側面によると、インジケーション情報送信装置がさらに、提供される。本装置は、第１のＡＭＦに適用され、上記の方法を実装するように構成される。図６は、本開示の実施形態による、インジケーション情報送信装置の構造ブロック図である。図６に示されるように、本装置は、第２のインジケーション情報を第２の標的ネットワーク要素に送信するように構成される、第２の送信モジュール６０を含み、第２のインジケーション情報は、第２の標的ネットワーク要素がＤＮＮインターワーキング情報を記憶していることを示すために使用される。
【０１００】
上記の装置を通して、第１のＡＭＦが、第２のインジケーション情報を第２の標的ネットワーク要素に送信し、第２のインジケーション情報は、第２の標的ネットワーク要素がＤＮＮインターワーキング情報を記憶していることを示すために使用され、それによって、ＵＤＭまたはＨＳＳが、ＭＭＥにＰＤＮ接続が再確立され得るＰＧＷを把握させるためにＭＭＥに送信すべきものを決定することができず、したがって、ＵＥのためのネットワークシステムを横断したインターワーキングが、関連技術分野において実施され、異なるネットワークシステム間でＵＥのためのクロスネットワークシステムインターワーキングを実装することができない問題を解決する。
【０１０１】
随意に、第２の送信モジュール６０は、第２のインジケーション情報をＵＤＭまたはＨＳＳに送信するように構成される、第４の送信ユニットを含み、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む。
【０１０２】
随意に、ＤＮＮ毎に、ＵＤＭまたはＨＳＳは、ＤＮＮに対応する、１つのＤＮＮインターワーキング情報を記憶する。
【０１０３】
随意に、第２の送信モジュール６０はさらに、ＵＥが第１のＡＭＦから第２のＡＭＦに移行される、ＡＭＦ間モビリティイベントが生じることに応答して、第２のインジケーション情報を第２のＡＭＦに送信するように構成される、第５の送信ユニットを含み、第２のインジケーション情報は、ＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む。
【０１０４】
本開示の実施形態の別の側面によると、インジケーション情報送信システムがさらに、提供される。本システムは、上記の装置を担持し、上記の方法を実装するために使用される。図７は、本開示の実施形態による、インジケーション情報送信システムの構造ブロック図である。図７に示されるように、本システムは、第１のインジケーション情報を標的ネットワーク要素に送信するように構成される、第１のＡＭＦ７０と、第１のインジケーション情報に従って、ＰＤＵセッションが標的ネットワークシステム内でインターワーキングを実施することができるかどうかを決定するように構成される、第１の標的ネットワーク要素７２とを含む。
【０１０５】
上記のシステムを通して、ＳＭＦまたはＰＧＷが、それがインターワーキングをサポートし得るかどうかを把握せず、したがって、ＵＥのためのネットワークシステムを横断したインターワーキングが、関連技術分野において実施されることができない問題が、解決されることができ、異なるネットワークシステム間におけるＵＥのためのクロスネットワークシステムインターワーキングが、実装されることができる。
【０１０６】
随意に、第１の標的ネットワーク要素７２は、ＳＭＦを含み、第１のＡＭＦが、ＵＥがＰＤＵセッションを設定することを要求する、メッセージを受信することに応答して、第１のＡＭＦはさらに、ＰＤＵセッション設定要求をＳＭＦに送信するように構成され、ＰＤＵセッション設定要求は、第１のインジケーション情報を搬送し、ＳＭＦは、第１のインジケーション情報に従って、ＰＤＵセッションが標的ネットワークシステム内でインターワーキングを実施することができるかどうかを決定するように構成される。
【０１０７】
随意に、第１のＡＭＦが、ＰＤＵセッションのステータスパラメータが変化したことを決定することに応答して、第１のＡＭＦはさらに、ＰＤＵセッション修正要求をＳＭＦに送信するように構成され、ＰＤＵセッション修正要求は、第１のインジケーション情報を搬送し、ＳＭＦは、そのステータスパラメータが変化したＰＤＵセッションが標的ネットワークシステム内でインターワーキングを実施することができるかどうかを決定するように構成される。
【０１０８】
随意に、第１の標的ネットワーク要素７２はさらに、第２のＡＭＦを含み、ＵＥが第１のＡＭＦから第２のＡＭＦに移行される、ＡＭＦ間モビリティイベントが生じることに応答して、第１のＡＭＦはさらに、第２のインジケーション情報を第２のＡＭＦに送信するように構成され、第２のＡＭＦは、第１のインジケーション情報に従って、第１のＡＭＦ下のＰＤＵセッションが標的ネットワークシステム内でインターワーキングを実施することができるかどうかを決定するように構成される。
【０１０９】
本開示の実施形態の別の側面によると、インジケーション情報送信システムがさらに、提供される。本システムは、上記の装置を担持し、上記の方法を実装するために使用される。図８は、本開示の実施形態による、インジケーション情報送信システムの構造ブロック図である。図８に示されるように、本システムは、第２のインジケーション情報を第２の標的ネットワーク要素に送信するように構成され、第２のインジケーション情報が、ＤＮＮインターワーキング情報を搬送する、第１のＡＭＦ７０と、第２のインジケーション情報に従って、ＤＮＮインターワーキング情報を記憶するように構成される、第２の標的ネットワーク要素８０とを含む。
【０１１０】
上記のシステムを通して、第１のＡＭＦが、第２のインジケーション情報を第２の標的ネットワーク要素に送信し、第２のインジケーション情報は、第２の標的ネットワーク要素がＤＮＮインターワーキング情報を記憶していることを示すために使用され、それによって、ＵＤＭまたはＨＳＳが、ＭＭＥにＰＤＮ接続が再確立され得るＰＧＷを把握させるためにＭＭＥに送信すべきものを決定することができず、したがって、ＵＥのためのネットワークシステムを横断したインターワーキングが、関連技術分野において実施され、異なるネットワークシステム間でＵＥのためのクロスネットワークシステムインターワーキングを実装することができない問題を解決する。
【０１１１】
随意に、第２の標的ネットワーク要素は、ＵＤＭまたはＨＳＳを含み、ＵＤＭまたはＨＳＳは、第２のインジケーション情報に従って、ＤＮＮインターワーキング情報を記憶するように構成され、ＤＮＮインターワーキング情報は、ＤＮＮ情報と、ＳＭＦアドレスまたはＰＧＷアドレスのうちの少なくとも１つとを含む。
【０１１２】
随意に、第２の標的ネットワーク要素は、第２のＡＭＦを含み、ＵＥが第１のＡＭＦから第２のＡＭＦに移行される、ＡＭＦ間モビリティイベントが生じることに応答して、第１のＡＭＦはさらに、第２のインジケーション情報を第２のＡＭＦに送信するように構成され、第２のインジケーション情報は、ＤＮＮインターワーキング情報を搬送し、第２のＡＭＦは、第２のインジケーション情報に従って、ＤＮＮインターワーキング情報を記憶するように構成され、ＤＮＮインターワーキング情報は、ＤＮＮ情報と、ＳＭＦアドレスまたはＰＧＷアドレスのうちの少なくとも１つとを含む。
【０１１３】
実施形態３
上記の実施形態におけるソリューションをより深く理解するために、本開示の実施形態は、以下の実施例を提供し、ＵＥが５Ｇシステムから４Ｇシステムに移動する、実施例を使用することによって、具体的用途シナリオを図示する。
【０１１４】
実施例１
本実施例は、ＡＭＦが、ＳＭＦに、ＰＤＵセッション設定および修正のプロセスにおいて、本ＳＭＦ上におけるＵＥのＰＤＵセッションが４Ｇシステムとのインターワーキングを実施することができるかどうかを知らせる状況を提案する。
【０１１５】
図９は、本開示の実施例１による、ＰＤＵセッション設定方法のフローチャートである。図９に示されるように、設定プロセスは、下記に説明されるステップを含む。
【０１１６】
ステップ２００では、ＵＥが、ＰＤＵセッションを設定することを要求する。
【０１１７】
ステップ２０１では、ＡＭＦが、ＰＤＵセッション設定要求をＳＭＦに送信し、ＰＤＵセッション設定要求は、ＰＤＵセッションが４Ｇシステムとのインターワーキングを実施することができるかどうかを示す、インジケーション情報を搬送する。
【０１１８】
ステップ２０２では、ＰＤＵセッション設定プロセスが、完了される。
【０１１９】
図１０は、本開示の実施例１による、ＰＤＵセッション修正方法のフローチャートである。図１０に示されるように、修正プロセスは、下記に説明されるステップを含む。
【０１２０】
ステップ３００では、ＵＥが、ＰＤＵセッションを設定しており、ＰＤＵセッションのステータスは、ＰＤＵセッションが４Ｇシステムとのインターワーキングを実施することができる、またはＰＤＵセッションがインターワーキングを実施することができない状態であり得る。
【０１２１】
ステップ３０１では、ＡＭＦが、ＰＤＵセッションの４Ｇとのインターワーキングのステータスが変化したことを決定する。
【０１２２】
ステップ３０２では、ＡＭＦが、ＰＤＵセッション修正要求をＳＭＦに送信し、ＰＤＵセッション修正要求は、ＰＤＵセッションが４Ｇシステムとのインターワーキングを実施することができるかどうかを示す、インジケーション情報を搬送する。例えば、ＰＤＵセッションがインターワーキングを実施することができなかった、ＰＤＵセッションのステータスが、現時点では、ＰＤＵセッションがインターワーキングを実施することができる状態となっている、またはＰＤＵセッションがインターワーキングを実施することができた、ＰＤＵセッションのステータスが、現時点では、ＰＤＵセッションがインターワーキングを実施することができない状態となっている。
【０１２３】
ステップ３０３では、ＰＤＵセッション修正プロセスが、完了される。
【０１２４】
上記のプロセスは、種々の様式において組み合わせられてもよい。
【０１２５】
様式１では、ＰＤＵセッションが、設定されるとき、ＳＭＦおよびＡＭＦは、常時、デフォルトによって、インターワーキングをサポートし、インターワーキングステータスが、変化すると、ＳＭＦは、通知される必要がある（すなわち、図１０におけるステップのみが、実行される必要がある）。
【０１２６】
様式２では、ＰＤＵセッションが、設定されるとき、インターワーキングは、デフォルトによって、サポートされておらず、インターワーキングステータスが、変化すると、ＳＭＦは、通知される必要がある（すなわち、図１０におけるステップのみが、実行される必要がある）。
【０１２７】
様式３では、ＰＤＵセッションが、設定されるとき、常時、インターワーキングがサポートされるかどうかが明示的に通知され、インターワーキングステータスが、変化すると、ＳＭＦは、通知される必要がある（すなわち、図９および１０におけるステップのみが、実行される必要がある）。
【０１２８】
実施例２
接続状態ハンドオーバまたはアイドル状態モビリティのプロセス等のＡＭＦ間モビリティプロセスが生じることに応答して、ソースＡＭＦ（上記の実施形態における第１のＡＭＦに相当し得る）は、ＰＤＵセッションが標的ＡＭＦ（上記の実施形態における第２のＡＭＦに相当し得る）に対して４Ｇとのインターワーキングをサポートするかどうかを示す、インジケーションを送信する必要がある。
【０１２９】
図１１は、本開示の実施例２による、ＡＭＦ間モビリティプロセスのフローチャートである。図１１に示されるように、モビリティプロセスは、下記に説明されるステップを含む。
【０１３０】
ステップ４００では、ＵＥが、ＰＤＵセッションを設定しており、ＰＤＵセッションのステータスは、ＰＤＵセッションが４Ｇシステムとのインターワーキングを実施することができる、またはＰＤＵセッションがインターワーキングを実施することができない状態であり得る。
【０１３１】
ステップ４０１では、ＵＥが、接続状態ハンドオーバまたはアイドル状態モビリティのプロセス等のＡＭＦ間モビリティプロセス中である。
【０１３２】
ステップ４０２では、ソースＡＭＦによって標的ＡＭＦに送信されるＵＥコンテキストが、ＰＤＵセッションが４Ｇとのインターワーキングをサポートするかどうかを示す、インジケーションを搬送する、またはあるＳＭＦ下のＰＤＵセッションが４Ｇとのインターワーキングをサポートするかどうかを示す、インジケーションを搬送する。
【０１３３】
ステップ４０３では、ＡＭＦ間モビリティプロセスが、完了される。
【０１３４】
実施例３
接続状態ハンドオーバまたはアイドル状態モビリティのプロセス等のＡＭＦ間モビリティプロセスが生じることに応答して、ＳＭＦは、ＰＤＵセッションが標的ＡＭＦに対して４Ｇとのインターワーキングをサポートするかどうかを示す、インジケーションを送信する。
【０１３５】
図１２は、本開示の実施例３による、ＡＭＦ間モビリティプロセスのフローチャートである。図１２に示されるように、モビリティプロセスは、下記に説明されるステップを含む。
【０１３６】
ステップ５００では、ＵＥが、ＰＤＵセッションを設定しており、ＰＤＵセッションのステータスは、ＰＤＵセッションが４Ｇシステムとのインターワーキングを実施することができる、またはＰＤＵセッションがインターワーキングを実施することができない状態であり得る。
【０１３７】
ステップ５０１では、ＵＥが、接続状態ハンドオーバまたはアイドル状態モビリティのプロセス等のＡＭＦ間モビリティプロセス中である。
【０１３８】
ステップ５０２では、標的ＡＭＦが、ＰＤＵセッション更新をＳＭＦに送信する。
【０１３９】
ステップ５０３では、ＳＭＦが、ＰＤＵセッション更新応答を標的ＡＭＦに送信し、ＰＤＵセッション更新応答は、ＰＤＵセッションが４Ｇとのインターワーキングをサポートするかどうかを示す、インジケーションを搬送する。
【０１４０】
ステップ５０４では、ＡＭＦ間モビリティプロセスが、完了される。
【０１４１】
実施例４
ＰＤＵセッションがＵＥと設定される、ＤＮＮ毎に、ＡＭＦは、インターワーキング情報をＵＤＭまたはＨＳＳ内に記憶し、インターワーキング情報を修正する、またはインターワーキング情報をＵＤＭまたはＨＳＳから削除し、情報は、ＤＮＮと、ＰＧＷ識別情報および／またはＳＭＦ識別情報とを含み、また、対応するアクセスタイプを含んでもよい。情報は、各ＵＤＭまたはＨＳＳ上の各ＰＤＵセッションコンテキスト内に記憶されず、ＵＥのために、ＤＮＮ毎に、独立４Ｇ−５Ｇインターワーキング情報が存在する。ＵＥが、４Ｇに移動すると、ＵＤＭまたはＨＳＳは、ＡＰＮおよびＰＧＷ識別情報をＭＭＥに送信する。
【０１４２】
図１３は、本開示の実施例４による、インターワーキング情報送信プロセスを図示する、フローチャートである。図１３に示されるように、本方法は、下記に説明されるステップを含む。
【０１４３】
ステップ６００では、ＰＤＵセッションが、ＵＥのために設定または修正される。
【０１４４】
ステップ６０１では、ＡＭＦが、４Ｇ−５Ｇインターワーキング情報をＵＤＭまたはＨＳＳ内に記憶し、情報は、ＤＮＮと、対応するＰＧＷ−Ｃ識別情報および／またはＳＭＦ識別情報および／または対応するアクセスタイプ（例えば、３ＧＰＰアクセスまたは非３ＧＰＰアクセス）とを含む。インターワーキングをサポートするＰＤＵセッションが存在しないとき、ＡＭＦは、ＵＤＭまたはＨＳＳ内に記憶される上記に述べられた４Ｇ−５Ｇインターワーキング情報を削除してもよい。情報は、ＵＤＭまたはＨＳＳ内のＵＥの各ＰＤＵセッションコンテキスト内に記憶されず、ＵＥのために、ＤＮＮ毎に、４Ｇ−５Ｇインターワーキング情報が存在する。ＵＥが、複数のＤＮＮ上にＰＵＤセッションを有するとき、４Ｇ−５Ｇインターワーキング情報は、各ＤＮＮに記憶される。
【０１４５】
実施例５
接続状態ハンドオーバまたはアイドル状態モビリティのプロセス等のＡＭＦ間モビリティプロセスが生じることに応答して、ソースＡＭＦは、４Ｇ−５Ｇインターワーキング情報を標的ＡＭＦに送信する必要がある。情報は、ＤＮＮと、対応するＰＧＷ−Ｃ識別情報および／またはＳＭＦ識別情報および／または対応するアクセスタイプ（例えば、３ＧＰＰアクセスまたは非３ＧＰＰアクセス）とを含む。
【０１４６】
図１４は、本開示の実施例５による、インターワーキング情報送信プロセスを図示する、フローチャートである。図１４に示されるように、本方法は、下記に説明されるステップを含む。
【０１４７】
ステップ７００では、ＵＥが、ＰＤＵセッションを設定しており、ＰＤＵセッションのステータスは、ＰＤＵセッションが４Ｇシステムとのインターワーキングを実施することができる、またはＰＤＵセッションが４Ｇとのインターワーキングを実施することができない状態であり得る。
【０１４８】
ステップ７０１では、ＵＥが、接続状態ハンドオーバまたはアイドル状態モビリティのプロセス等のＡＭＦ間モビリティプロセス中である。
【０１４９】
ステップ７０２では、ソースＡＭＦによって標的ＡＭＦに送信されるＵＥコンテキストが、４Ｇ−５Ｇインターワーキング情報を搬送する。情報は、ＤＮＮと、対応するＰＧＷ−Ｃ識別情報および／またはＳＭＦ識別情報および／または対応するアクセスタイプ（例えば、３ＧＰＰアクセスまたは非３ＧＰＰアクセス）とを含む。
【０１５０】
ステップ７０３では、ＡＭＦ間モビリティプロセスが、完了される。
【０１５１】
実施例６
ＳＭＦは、インターワーキング情報をＵＤＭまたはＨＳＳ内に記憶し、情報は、ＤＮＮと、ＰＧＷ識別情報および／またはＳＭＦ識別情報とを含み、また、対応するアクセスタイプを含んでもよい。情報は、ＵＤＭまたはＨＳＳ内のＰＤＵセッションコンテキスト内に記憶されず、ＵＥのために、ＤＮＮ毎に、４Ｇ−５Ｇインターワーキング情報が存在する。ＵＥが、４Ｇに移動すると、ＵＤＭまたはＨＳＳは、ＡＰＮおよびＰＧＷ識別情報をＭＭＥに送信する。
【０１５２】
図１５は、本開示の実施例６による、インターワーキング情報送信プロセスを図示する、フローチャートである。図１５に示されるように、本方法は、下記に説明されるステップを含む。
【０１５３】
ステップ８００では、ＰＤＵセッションが、ＵＥのために設定または修正される。
【０１５４】
ステップ８０１では、ＳＭＦが、４Ｇ−５Ｇインターワーキング情報をＵＤＭまたはＨＳＳ内に記憶し、情報は、ＤＮＮと、対応するＰＧＷ−Ｃ識別情報および／またはＳＭＦ識別情報および／または対応するアクセスタイプ（例えば、３ＧＰＰアクセスまたは非３ＧＰＰアクセス）とを含む。情報は、ＵＤＭまたはＨＳＳ内のＰＤＵセッションコンテキスト内に記憶されず、ＵＥのために、ＰＤＵセッションのＤＮＮに関して、独立４Ｇ−５Ｇインターワーキング情報が存在する。ＵＥが、複数のＤＮＮ上にＰＵＤセッションを有するとき、４Ｇ−５Ｇインターワーキング情報は、各ＤＮＮに記憶される。
【０１５５】
実施形態４
本願の実施形態はさらに、記憶媒体を提供する。記憶媒体は、実行されると、前述の方法実施形態のうちのいずれか１つにおけるステップを実施するように構成される、コンピュータプログラムを記憶する。
【０１５６】
随意に、本実施形態では、記憶媒体は、以下のステップ、すなわち、Ｓ１、第１のＡＭＦが第１のインジケーション情報を第１の標的ネットワーク要素に送信するステップであって、第１のインジケーション情報は、ＰＤＵセッションが標的ネットワークシステム内でインターワーキングを実施することができるかどうかを示すために使用される、ステップを実行するためのコンピュータプログラムを記憶するように構成されてもよい。
【０１５７】
随意に、記憶媒体はさらに、以下のステップ、すなわち、第１のＡＭＦが、ＵＥがＰＤＵセッションを設定することを要求する、メッセージを受信することに応答して、第１のＡＭＦが、ＰＤＵセッション設定要求をＳＭＦに送信するステップであって、ＰＤＵセッション設定要求は、第１のインジケーション情報を搬送し、第１のインジケーション情報は、ＰＤＵセッションが標的ネットワークシステム内でインターワーキングを実施することができるかどうかを示すために使用される、ステップを実行するためのコンピュータプログラムを記憶するように構成される。
【０１５８】
随意に、記憶媒体はさらに、以下のステップ、すなわち、第１のＡＭＦが、ＰＤＵセッションのステータスパラメータが変化したことを決定することに応答して、第１のＡＭＦがＰＤＵセッション修正要求をＳＭＦに送信するステップであって、ＰＤＵセッション修正要求は、第１のインジケーション情報を搬送し、第１のインジケーション情報は、ＰＤＵセッションが標的ネットワークシステム内でインターワーキングを実施することができるかどうかを示すために使用される、ステップを実行するためのコンピュータプログラムを記憶するように構成される。
【０１５９】
随意に、記憶媒体はさらに、以下のステップ、すなわち、ＵＥが第１のＡＭＦから第２のＡＭＦに移行される、ＡＭＦ間モビリティイベントが生じることに応答して、第１のＡＭＦが第１のインジケーション情報を第２のＡＭＦに送信するステップであって、第１のインジケーション情報は、第１のＡＭＦ下のＵＥのＰＤＵセッションが標的ネットワークシステム内でインターワーキングを実施することができるかどうかを示すために使用される、ステップを実行するためのコンピュータプログラムを記憶するように構成される。
【０１６０】
随意に、本実施形態では、記憶媒体は、以下のステップ、すなわち、Ｓ１、第１のＡＭＦが第２のインジケーション情報を第２の標的ネットワーク要素に送信するステップであって、第２のインジケーション情報は、第２の標的ネットワーク要素がＤＮＮインターワーキング情報を記憶していることを示すために使用される、ステップを実行するためのコンピュータプログラムを記憶するように構成されてもよい。
【０１６１】
随意に、記憶媒体はさらに、以下のステップ、すなわち、第１のＡＭＦが第２のインジケーション情報をＵＤＭまたはＨＳＳに送信するステップであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを実行するためのコンピュータプログラムを記憶するように構成される。
【０１６２】
随意に、記憶媒体はさらに、以下のステップ、すなわち、ＵＥが第１のＡＭＦから第２のＡＭＦに移行される、ＡＭＦ間モビリティイベントが生じることに応答して、第１のＡＭＦが第２のインジケーション情報を第２のＡＭＦに送信するステップであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを実行するためのコンピュータプログラムを記憶するように構成される。
【０１６３】
随意に、本実施形態では、記憶媒体は、限定ではないが、ＵＳＢフラッシュドライブ、読取専用メモリ（ＲＯＭ）、ランダムアクセスメモリ（ＲＡＭ）、モバイルハードディスク、磁気ディスク、光ディスク、またはコンピュータプログラムを記憶することが可能な別の媒体を含んでもよい。
【０１６４】
本願の実施形態はさらに、電子デバイスを提供する。電子デバイスは、メモリと、プロセッサとを含む。メモリは、コンピュータプログラムを記憶し、プロセッサは、コンピュータプログラムを実行し、前述の方法実施形態のうちのいずれか１つにおけるステップを実施するように構成される。
【０１６５】
随意に、電子装置はさらに、伝送デバイスと、入力／出力デバイスとを含んでもよい。伝送デバイスおよび入力／出力デバイスは両方とも、プロセッサに接続される。
【０１６６】
随意に、本実施形態では、プロセッサは、コンピュータプログラムを通して、以下のステップを実施するように構成されてもよい。
【０１６７】
Ｓ１では、第１のＡＭＦが、第１のインジケーション情報を標的ネットワーク要素に送信し、第１のインジケーション情報は、ＰＤＵセッションが標的ネットワークシステム内でインターワーキングを実施することができるかどうかを示すために使用される。
【０１６８】
随意に、プロセッサはさらに、コンピュータプログラムを通して、以下のステップを実施するように構成される。
【０１６９】
第１のＡＭＦが、ＵＥがＰＤＵセッションを設定することを要求する、メッセージを受信することに応答して、第１のＡＭＦが、ＰＤＵセッション設定要求をＳＭＦに送信し、ＰＤＵセッション設定要求は、第１のインジケーション情報を搬送し、第１のインジケーション情報は、ＰＤＵセッションが標的ネットワークシステム内でインターワーキングを実施することができるかどうかを示すために使用される。
【０１７０】
随意に、プロセッサはさらに、コンピュータプログラムを通して、以下のステップを実施するように構成される。
【０１７１】
第１のＡＭＦが、ＰＤＵセッションのステータスパラメータが変化したことを決定することに応答して、第１のＡＭＦが、ＰＤＵセッション修正要求をＳＭＦに送信し、ＰＤＵセッション修正要求は、第１のインジケーション情報を搬送し、第１のインジケーション情報は、ＰＤＵセッションが標的ネットワークシステム内でインターワーキングを実施することができるかどうかを示すために使用される。
【０１７２】
随意に、プロセッサはさらに、コンピュータプログラムを通して、以下のステップ、すなわち、ＵＥが第１のＡＭＦから第２のＡＭＦに移行される、ＡＭＦ間モビリティイベントが生じることに応答して、第１のＡＭＦが、第１のインジケーション情報を第２のＡＭＦに送信するステップであって、第１のインジケーション情報は、第１のＡＭＦ下のＵＥのＰＤＵセッションが標的ネットワークシステム内でインターワーキングを実施することができるかどうかを示すために使用される、ステップを実施するように構成される。
【０１７３】
随意に、本実施形態では、プロセッサはさらに、コンピュータプログラムを通して、以下のステップ、すなわち、Ｓ１、第１のＡＭＦが第２のインジケーション情報を第２の標的ネットワーク要素に送信するステップであって、第２のインジケーション情報は、第２の標的ネットワーク要素がＤＮＮインターワーキング情報を記憶していることを示すために使用される、ステップを実施するように構成される。
【０１７４】
随意に、プロセッサはさらに、コンピュータプログラムを通して、以下のステップ、すなわち、第１のＡＭＦが第２のインジケーション情報をＵＤＭまたはＨＳＳに送信するステップであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを実施するように構成される。
【０１７５】
随意に、プロセッサはさらに、コンピュータプログラムを通して、以下のステップ、すなわち、ＵＥが第１のＡＭＦから第２のＡＭＦに移行される、ＡＭＦ間モビリティイベントが生じることに応答して、第１のＡＭＦが第２のインジケーション情報を第２のＡＭＦに送信するステップであって、第２のインジケーション情報は、ＵＤＭまたはＨＳＳがＤＮＮインターワーキング情報を記憶していることを示すために使用され、ＤＮＮインターワーキング情報は、ＤＮＮ情報と、ＳＭＦアドレスまたはＰＧＷアドレスのうちの少なくとも１つとを含む、ステップを実施するように構成される。
【０１７６】
随意に、本実施形態における具体的実施例に関して、前述の実施形態および随意の実施形態に説明される実施例が、参照され得るが、これらの実施例は、本実施形態では繰り返されないであろう。
【０１７７】
明らかなこととして、当業者によって、本願のモジュールまたはステップはそれぞれ、汎用コンピューティング装置によって実装されてもよく、単一コンピューティング装置上に集中される、または複数のコンピューティング装置によって形成されるネットワーク上に分散されてもよいことが理解されるはずである。随意に、これらのモジュールまたはステップは、コンピューティング装置によって実行可能なプログラムコードによって実装されてもよい。したがって、これらのモジュールまたはステップは、記憶装置内に記憶され、コンピューティング装置によって実行されてもよい。さらに、ある場合には、図示または説明されるステップは、本明細書に説明されるシーケンスと異なるシーケンスにおいて実行されてもよい。代替として、これらのモジュールまたはステップは、集積回路モジュールの中に別個に作製されることによって実装されてもよい、またはこれらのモジュールまたはステップの複数のものは、単一集積回路モジュールの中に作製されることによって実装されてもよい。このように、本願は、ハードウェアおよびソフトウェアの任意の具体的組み合わせに限定されない。
【０１７８】
上記は、本願の実施形態にすぎず、本願を限定することを意図するものではなく、当業者にとって、本願は、種々の修正および変形例を有し得る。本願の原理内で成される、任意の修正、均等代用物、改良、および同等物は、本願の範囲内に該当するべきである。
【図１】
2021534654.tif 000003
【図２】
2021534654.tif 000004
【図３】
2021534654.tif 000005
【図４】
2021534654.tif 000006
【図５】
2021534654.tif 000007
【図６】
2021534654.tif 000008
【図７】
2021534654.tif 000009
【図８】
2021534654.tif 000010
【図９】
2021534654.tif 000011
【図１０】
2021534654.tif 000012
【図１１】
2021534654.tif 000013
【図１２】
2021534654.tif 000014
【図１３】
2021534654.tif 000015
【図１４】
2021534654.tif 000016
【図１５】
2021534654.tif 000017
【国際調査報告】
2021534654.tif 000018
2021534654.tif 000019
2021534654.tif 000020
2021534654.tif 000021